(57)【要約】  【課題】ＩＰ電話の通話時に暗号化されているか等をユーザが簡単に把握できるようにする。  【解決手段】ＩＰ電話アダプタ１１は、ＩＰ電話による音声データの通信暗号化／復号化を行う暗号化処理部７と、暗号化処理部７で通信暗号化された状態でＩＰ電話により通話中であることを表示する表示手段１３とを備えている。表示手段１３はＬＥＤからなり、点灯、点滅、発光色の違い等により状態表示を行う。  【選択図】図１
2006325039.tif 000002
【特許請求の範囲】
【請求項１】
ＩＰ電話による音声データの通信暗号化／復号化を行う暗号化処理部と、
前記暗号化処理部で暗号化された状態でＩＰ電話により通話中であることを表示する表示手段と、を備えていることを特徴とするＩＰ電話装置。
【請求項２】
前記表示手段は、暗号化された通話を開始するために相手先のＩＰ電話装置との間で接続確立中であることを表示可能としている請求項１に記載のＩＰ電話装置。
【請求項３】
前記表示手段は、暗号化された通話が利用可能なスタンバイ状態であることを表示可能としている請求項１または請求項２に記載のＩＰ電話装置。
【請求項４】
前記暗号化処理部は、受信パケットが送信元での送信時のパケットと同一に保たれているかを認証する機能を備え、
前記表示手段は、前記暗号化処理部でパケット認証の失敗確率が所定値を超えた場合に警告表示可能としている請求項１乃至請求項３のいずれか１項に記載のＩＰ電話装置。
【請求項５】
前記表示手段として、点灯あるいは点滅により状態表示を行うＬＥＤが含まれることを特徴とする、請求項１乃至請求項４のいずれか１項に記載のＩＰ電話装置。
【請求項６】
前記表示手段として、発光色の違いにより状態表示を行うＬＥＤが含まれることを特徴とする、請求項１乃至請求項５のいずれか１項に記載のＩＰ電話装置。
【請求項７】
前記ＬＥＤは、ＩＰ電話網を使用した通話状態を表示するためのＬＥＤと兼用している請求項５または請求項６に記載のＩＰ電話装置。
【発明の詳細な説明】
【技術分野】
【０００１】
本発明は、ＩＰ電話装置に関し、詳しくは、ＩＰ電話による音声通話の通信暗号化を行うものに関する。
【背景技術】
【０００２】
近年、従来の加入電話に代わる新しい電話形態として、インターネットをはじめとするＩＰ網を利用して音声を伝送するＩＰ電話が注目されており、既に実用化が開始されている（特開２００５−４５３８２号公報等）。
一般的なＩＰ電話システムについて図１２を用いて説明すると、ＩＰ電話アダプタは、電話機からのダイヤル信号や音声信号に対して必要な処理を行い、パケット化してＩＰ網に送信する。ＩＰ網における発信や着信の制御(呼制御)は呼制御サーバにより行われ、通話中のＩＰ電話の音声パケットは呼制御サーバを経由せず直接やりとりされる。
【０００３】
次に、ＩＰ電話の一般的な接続シーケンスについて図１３を用いて簡単に説明する。まず初期設定として、ユーザはＩＰ電話サービス事業者から付与されたＩＰ電話番号をＩＰ電話アダプタに設定後、ＩＰ電話アダプタをＩＰ網に接続する。その後ＩＰ電話アダプタは自動的にＩＰアドレスを取得し、ＩＰアドレスとＩＰ電話番号を呼制御サーバへ登録する。そして、ユーザＡが電話機Ａの受話器を上げると、ＩＰ電話アダプタＡは電話機Ａに発信音を送出する。その後、相手先電話番号をダイヤルすると、ＩＰ電話アダプタＡは相手先電話番号を呼制御プロトコルの接続要求メッセージにのせて呼制御サーバに送信する。呼制御サーバは図１２に示すようなＩＰ電話番号とＩＰアドレスの対応表を管理している。呼制御サーバは相手先電話番号に対応するＩＰアドレスを調べ、そのＩＰアドレスに対して接続要求メッセージを伝送する。
【０００４】
接続要求メッセージを受信したＩＰ電話アダプタＢは電話機Ｂに対して着信音を送出して着信を通知すると共に、呼制御サーバ経由でＩＰ電話アダプタＡに対して呼出中であることを示すメッセージを送信する。ＩＰ電話アダプタＡはこれを受けて電話機Ａに呼出音を送出する。ユーザＢが電話機Ｂの受話器を上げた時、ＩＰ電話アダプタＢは呼制御サーバ経由でＩＰ電話アダプタＡに対して接続応答メッセージを送信する。按続応答メッセージを受信したＩＰ電話アダプタＡは電話機Ａに応答を通知し、通話が開始される。
【０００５】
次に、一般的なＩＰ電話アダプタ１の構成を図１４に示す。信号検出部２は、電話機６からの信号を検出して信号の内容を判定する。呼制御部３は、通話する相手との接続および切断を制御する。また、市販されている殆どのＩＰ電話アダプタ１は、ＩＰ電話による通話ができない相手先については公衆電話網を利用する機能を有している。音声処理部４は、アナログ／ディジタル信号変換と音声の符号化/復号化を行う。パケット処理部５は、呼制御信号と音声信号のパケット化／脱パケット化を行う。
【０００６】
前述したＩＰ電話の主な特長としては、（１）同じプロバイダが提供するＩＰ電話サービスのユーザであれば、時間や距離にかかわらず無料または低料金で通話できる点、（２）０５０番号を利用することにより、引越しや移転等があっても電話番号を変更しなくてよい点、（３）ＩＰ電話と他のアプリケーションを融合した新サービス等の大きな可能性を秘めている点などが挙げられる。
しかしながら、ＩＰ電話はインターネット技術を利用しているため盗聴されやすいという問題がある。そこで、インターネット披術の標準化団体であるＩＥＴＦ(Internet Engineering Task Force)では、パケットを暗号化する技術であるＳＲＴＰ(Secure
Real-time Transport Protocol)を標準化(RFC3711)している。ＳＲＴＰは主に音声や動画などのリアルタイム通信を暗号化する技術であり、ＩＰ電話の暗号化方式として期待
されている。
【０００７】
そこで、暗号化機能を搭載した一般的なＩＰ電話アダプタの構成を図１５に示す。暗号化処理部７は、音声信号をユーザ設定値に従って暗号化／復号化する。暗号化情報データベース８は一般的に図１６に示すような構成となっており、暗号化情報となる暗号化パラメータの設定等を登録している。暗号化パラメータの例としては、暗号化機能の有効/無効、暗号化に使用するアルゴリズム、暗号キーの更新ライフタイム等がある。デフォルト設定値は工場出荷時の設定値を意味し、ユーザ設定値はユーザが独自に設定変更した値を意味する。
【０００８】
ＩＰ電話の暗号化を行う場合は相手先と暗号化情報を交渉する。交渉方法の１つとしては、発信側ＩＰ電話アダプタが接続要求メッセージに暗号化情報を付加して送信する。このときの暗号化情報は、ユーザ設定値を反映した暗号化パラメータ群である。着信側ＩＰ電話アダプタは、その暗号化情報が受け入れられるものであれば接続応答メッセージに暗号化情報を付加して送信し、受け入れられない若しくは暗号化機能を搭載していない場合はエラーメッセージを返して終了する。
【０００９】
ところで、ＩＰ電話アダプタの筐体外面には、一般にＬＥＤ（発光ダイオード）ランプが設けられて、電源ＯＮ／ＯＦＦの状態や通信状態などがユーザに一目で分かるようになっている。例えば、ＩＰ電話が使用可能なスタンバイ状態では「ＩＰ電話」と横に記載されているＬＥＤが点灯し、使用不可能な状態では消灯するようになっている。
しかしながら、一般的なＩＰ電話アダプタでは、ＩＰ電話のユーザは事前に暗号化機能を有効に設定しておいた場合でも、実際のＩＰ電話時にその通話が暗号化されているかどうかを簡単に知る手段が無く、通話中に本当に暗号化されているか不安になるという問題がある。
【特許文献１】特開２００５−４５３８２号公報
【非特許文献１】ＳＩＰ教科書（監修：千村保文、村田利文、ＩＤＧジャパン、２００３年５月）
【発明の開示】
【発明が解決しようとする課題】
【００１０】
本発明は、前記問題に鑑みてなされたもので、ＩＰ電話の通話時に暗号化が実際にされているかどうか等をユーザが簡単に把握できるようにすることを課題としている。
【課題を解決するための手段】
【００１１】
前記課題を解決するため、本発明は、ＩＰ電話による音声データの通信暗号化／復号化を行う暗号化処理部と、
前記暗号化処理部で暗号化された状態でＩＰ電話により通話中であることを表示する表示手段と、を備えていることを特徴とするＩＰ電話装置を提供している。
【００１２】
前記構成とすると、ユーザはＩＰ電話装置の表示手段を見れば、ＩＰ電話による通話が確実に暗号化されていることを一目で確認することが可能であるので、ユーザに安心感を与えることができる。なお、前記ＩＰ電話装置は、電話機本体と別体のＩＰ電話アダプタでもよいし、電話機本体と一体型であってもよい。
【００１３】
前記表示手段は、暗号化された通話を開始するために相手先のＩＰ電話装置との間で接続確立中であることを表示可能としていると好ましい。
【００１４】
前記構成とすると、ユーザから相手先電話番号が入力されて相手先ＩＰ電話装置との間で接続確立動作を行っている際に、その接続確立中であることをユーザに知らせることができるので、ユーザは現在の動作状況を把握することができ安心感を得ることができる。
【００１５】
前記表示手段は、暗号化された通話が利用可能なスタンバイ状態であることを表示可能としていると好ましい。
【００１６】
前記構成とすると、ＩＰ電話による通話の暗号化が現在可能であることをユーザは使用前に一目で把握することができ、安心して以後の通話を開始することができる。
【００１７】
前記暗号化処理部は、受信パケットが送信元での送信時のパケットと同一に保たれているかを認証する機能を備え、
前記表示手段は、前記暗号化処理部でパケット認証の失敗確率が所定値を超えた場合に警告表示可能としていると好ましい。
【００１８】
前記構成とすると、通信経路中において音声データのパケットが改竄されたり、伝送路上の不具合（中継機器の機能障害や熱変動など）によりパケットが壊れたりするのを検出した認証結果をユーザに知らせることができ、たとえば改竄防止のために暗号化パラメータの設定変更を行うなどの動機付けを与えることができる。その際、パケット認証の失敗が起こる度に、即ち、前記失敗確率が０％を超えた場合に表示手段で警告表示してもよいし、失敗確率がある一定値を超えるまでは認証失敗があっても警告表示しないようにしてもよい。なお、前記パケット認証の失敗確率は、たとえば単位時間あたりにおける全受信パケット数のうち認証失敗した受信パケット数の割合を算出すること等で求めるとよい。
【００１９】
前記表示手段はＬＥＤ（発光ダイオード）からなり、点灯あるいは点滅により状態表示を行うようにしていると、簡素かつ低消費電力で、簡単に通信ステータスを表現することができ好ましい。
【００２０】
前記ＬＥＤは複数色に発光可能であり、点灯あるいは点滅される発光色の違いにより状態表示を行うようにしていると、簡素な構成で複数種の通信ステータスを表現することができ好ましい。
【００２１】
前記ＬＥＤは、公衆電話網を使用せずにＩＰ電話網を使用した通話状態を表示するＬＥＤと兼用していると好ましい。
前記構成とすると、ＬＥＤランプの数を低減することができ、ＩＰ電話装置の小型化に貢献すると共に外観を簡素化することができる。
【発明の効果】
【００２２】
以上の説明より明らかなように、本発明によれば、ユーザはＩＰ電話装置の表示手段を見れば、ＩＰ電話による通話が確実に暗号化されていることを一目で確認することが可能であるので、ユーザに安心感を与えることができる。
【発明を実施するための最良の形態】
【００２３】
本発明の実施形態を図面を参照して説明する。
図１乃至図６は第１実施形態を示す。
実施形態のＩＰ電話アダプタ１１（ＩＰ電話装置）は前記図１２に示すＩＰ電話システムに適用されるもので、システムの全体的な構成は前記図１２と同様であるため説明を省略する。
【００２４】
ＩＰ電話アダプタ１１は、図１に示すように、信号検出部２と、呼制御部３と、音声処理部４と、パケット処理部５と、暗号化処理部７と、暗号化情報データベース８と、ＬＥＤ制御部１２と、暗号化ＬＥＤ（発光ダイオード）１３とを備えている。
信号検出部２は、電話機６から送信されるダイヤル信号や音声信号を検出する機能を有する。呼制御部３は、音声以外のダイヤル信号をデジタル化したり、相手先電話番号や暗号化情報等を含み通話開始時に呼制御サーバに送信する接続要求メッセージの作成等を行う機能を有する。音声処理部４は、電話機６から送信される音声データをアナログからデジタルに変換する機能を有する。パケット処理部５は、呼制御部３や音声処理部４から送信されるデータのパケット化を行ってＩＰ網に送信したり、ＩＰ網から受信したデータの脱パケット化を行う機能を有する。暗号化処理部７は、暗号化情報データベース８に登録された設定内容に基づいて音声データの暗号化／復号化を行う機能を有する。ＬＥＤ制御部１２は、ＩＰ電話アダプタ１１の筐体１４の外面に設けられた暗号化ＬＥＤ１３の点灯、点滅、消灯の制御を行う機能を有する。
【００２５】
図２はＩＰ電話アダプタ１１の外観を表しており、筐体１４の前面には複数のＬＥＤが設けられており、電源のＯＮ／ＯＦＦを点灯／消灯で表示したり、警告アラームを点灯で表示したり、ＷＡＮやＬＡＮの接続／非接続の状態を点灯／消灯で表示したり、ＩＰ電話網による通話か通常の公衆電話網による通話かを点灯で表示したりしている。また、本発明の特徴的事項として、ＩＰ電話アダプタ１１の筐体１４の外面には暗号化の有効／無効を点灯（点滅）／消灯で表示する暗号化ＬＥＤ１３が設けられている。
【００２６】
次に、ＩＰ電話アダプタ１１の動作について説明する。
図３に示すように、発信側ユーザは電話機６から相手先電話番号にダイヤルすることでＩＰ電話アダプタ１１を介して相手先との接続を開始する（ステップＳ１）。詳しくは、ＩＰ電話アダプタ１１の暗号化機能を有効にしていた場合は、信号検出部２が呼制御部３に対して、暗号化情報データベース８に登録された暗号化パラメータを反映させた暗号化情報を付加した接続要求メッセージを作成するよう要求し、接続要求メッセージを呼制御サーバに送信して接続処理を開始する。
【００２７】
相手先との接続が成功した場合で（ステップＳ２）、暗号化情報の交換が成功した場合には（ステップＳ３）、それまで消灯していた暗号化ＬＥＤ１３がＬＥＤ制御部１２からの指令により「通話中」を示す色で点灯あるいは点滅し（ステップＳ４）、暗号化されたＩＰ電話による通話が開始される（ステップＳ５）。これにより、ユーザは現在の通話が暗号化されていることを一目で把握することができる。
【００２８】
次に、第１実施形態の第１変形例について説明する。
図４に示すように、発信側ユーザは電話機６から相手先電話番号にダイヤルすることでＩＰ電話アダプタ１１を介して相手先との接続を開始する（ステップＳ１０）。この際、ＩＰ電話アダプタ１１の暗号化機能を有効にしており、信号検出部２が呼制御部３に対して、暗号化情報データベース８に登録された暗号化パラメータを反映させた暗号化情報を付加した接続要求メッセージを作成した場合には（ステップＳ１１）、それまで消灯していた暗号化ＬＥＤ１３がＬＥＤ制御部１２からの指令により「接続確立中」を示す色で点灯あるいは点滅する（ステップＳ１２）。
【００２９】
次いで、相手先との接続が成功した場合で（ステップＳ１３）、暗号化情報の交換が成功した場合には（ステップＳ１４）、それまで一定の色で点灯あるいは点滅していた暗号化ＬＥＤ１３がＬＥＤ制御部１２からの指令により「通話中」を示す異なる色で点灯あるいは点滅し（ステップＳ１５）、暗号化されたＩＰ電話による通話が開始される（ステップＳ１６）。なお、この際、「接続確立中」を示す状態と「通話中」を示す状態とを１つの暗号化ＬＥＤ１３で区別して表示するために、二色ＬＥＤを用いて発光色を変えて表示しているが（例えば、「接続確立中」が橙色、「通話中」が緑色）、その代わりに「接続確立中」を点滅として「通話中」を点灯とする（あるいはその逆）等して１つの色で２つのステータスを表現してもよい。
【００３０】
一方、相手先との接続が成功しなかった場合で（ステップＳ１３）、暗号化ＬＥＤ１３が点灯中あるいは点滅中である場合には（ステップＳ１７）、暗号化ＬＥＤ１３を消灯して処理を終了する（ステップＳ１８）。暗号化ＬＥＤ１３が消灯していた場合にはそのまま処理を終了する（ステップＳ１８）。以上のようにすれば、ユーザから相手先電話番号が入力されて相手先のＩＰ電話装置との間で接続確立動作を行っている際に、接続確立中であることもユーザが簡単に知ることができるので、ユーザは現在の動作状況を把握することができ安心感を得ることができる。
【００３１】
次に、第１実施形態の第２変形例について説明する。
図５に示すように、ユーザがＩＰ電話アダプタ１１の電源をＯＮすることで、ＩＰ電話アダプタ１１が起動して初期設定動作を開始する（ステップＳ２０）。正常に起動処理が実行されて暗号化機能が有効にスタンバイされた場合には（ステップＳ２１）、ＬＥＤ制御部１２からの指令により暗号化ＬＥＤ１３が「暗号化通話可能」を示す色で点灯あるいは点滅し（ステップＳ２２）、初期設定を終了する（ステップＳ２３）。一方、起動処理がうまくいかずに暗号化機能が利用可能にスタンバイされなかった場合には（ステップＳ２１）、そのまま初期設定処理を終了する（ステップＳ２３）。このようにすれば、ユーザはＩＰ電話の使用前に通話の暗号化が現在可能であることを一目で把握することができ、安心して以後の通話を開始することができる。
【００３２】
次に、第１実施形態の第３変形例について説明する。
図６に示すように、受信側のＩＰ電話アダプタ１１で音声パケットが受信されると（ステップＳ３０）、通信経路中でパケットが改竄されたり伝送路の不具合（中継機器の機能障害や熱変動等）等によりパケットが壊れてないかを確認するため、暗号化処理部７において送信側から送信されたパケットと同一であるかを認証する。ここで、認証について説明すると、一般に、送信側のＩＰ電話装置１１では暗号化処理部７で所定の認証アルゴリズムを適用し、その計算結果をパケット処理部５で生成されるパケットに付加して送信する。受信側のＩＰ電話装置１１では、暗号化処理部７により受信パケットに対して送信側と同じ認証アルゴリズムを適用し、その計算結果と受信パケットに予め付加されている計算結果とが同一であれば正規のパケットであるとして認証成功と判定される一方、同一でなければ認証失敗と判定される。
【００３３】
次いで、暗号化処理部７において前記認証の失敗確率が所定値を超えたと判定された場合、たとえば単位時間当たりの全受信パケット数のうち認証失敗した受信パケット数の割合が所定値を超えた場合等には（ステップＳ３１）、ＬＥＤ制御部１２からの指令により暗号化ＬＥＤ１３が「警告」を示す色で点灯する（ステップＳ３２）。この際、警告表示の有無を分ける閾値となる失敗確率の「所定値」は、０％〜１００％のうちから適宜設定されるとよい。以上のように、通信経路中において音声データのパケットが改竄等されている可能性があることをユーザに知らせることができる。
【００３４】
図７および図８は第２実施形態を示す。
第１実施形態との相違点は、暗号化専用のＬＥＤを廃止し、ＩＰ電話ＬＥＤ１３’で暗号化に関する表示も兼用している点である。
【００３５】
第２実施形態のＩＰ電話アダプタ１１’は、図７に示すように、筐体１４’の前面に複数のＬＥＤが設けられており、電源のＯＮ／ＯＦＦを点灯／消灯で表示したり、警告アラームを点灯で表示したり、ＷＡＮやＬＡＮの接続／非接続の状態を点灯／消灯で表示したり、ＩＰ電話網による通話か通常の公衆電話網による通話かを点灯で表示したりしている。また、本発明の特徴的事項として、暗号化の有効／無効を表示する暗号化ＬＥＤは特別に設けずに、公衆電話網ではなくＩＰ電話網による通話状態であることを表示するＩＰ電話ＬＥＤ１３’を兼用して暗号化状態を表現するようにしている。
【００３６】
次に、ＩＰ電話アダプタ１１’の動作について説明する。
図８に示すように、発信側ユーザは電話機６から相手先電話番号にダイヤルすることでＩＰ電話アダプタ１１’を介して相手先との接続を開始する（ステップＳ４０）。相手先との接続が成功した場合で（ステップＳ４１）、暗号化情報の交換が成功した場合には（ステップＳ４２）、ＩＰ電話ＬＥＤ１３’が「暗号化通話中」を示す色で点灯あるいは点滅し（ステップＳ４３）、暗号化されたＩＰ電話による通話が開始される（ステップＳ４４）。この際、ＩＰ電話ＬＥＤ１３’の「暗号化通話中」の発光色は、暗号化なしの通話中の発光色と異ならせている。こうすれば、第１実施形態に比べてＬＥＤの数を低減することができる。
【００３７】
次に、第２実施形態の第１変形例について説明する。
図９に示すように、発信側ユーザは電話機６から相手先電話番号にダイヤルすることでＩＰ電話アダプタ１１’を介して相手先との接続を開始する（ステップＳ５０）。この際、ＩＰ電話アダプタ１１’の暗号化機能を有効にしており、信号検出部２が呼制御部３に対して、暗号化情報データベース８に登録された暗号化パラメータを反映させた暗号化情報を付加した接続要求メッセージを作成した場合には（ステップＳ５１）、ＩＰ電話ＬＥＤ１３’が「暗号化通話接続確立中」を示す色で点灯あるいは点滅する（ステップＳ１２）。この際、ＩＰ電話ＬＥＤ１３’の「暗号化通話接続確立中」の発光色は、暗号化なしの通話中の発光色と異ならせている。
【００３８】
次いで、相手先との接続が成功した場合で（ステップＳ５３）、暗号化情報の交換が成功した場合には（ステップＳ５４）、それまで一定の色で点灯あるいは点滅していたＩＰ電話ＬＥＤ１３’が「暗号化通話中」を示す異なる色で点灯あるいは点滅し（ステップＳ５５）、暗号化されたＩＰ電話による通話が開始される（ステップＳ５７）。なお、暗号化していないＩＰ電話の通話中である「通常状態」を示す状態と、「暗号化通話接続確立中」を示す状態と、「暗号化通話中」を示す状態とを１つのＩＰ電話ＬＥＤ１３’で区別して表示するために、三色ＬＥＤを用いてそれぞれ発光色を変えて表示しているが、その代わりに「暗号化通話接続確立中」を点滅として「暗号化通話中」を点灯とする（あるいはその逆）等して１つの色で２つのステータスを表現してもよい。
【００３９】
一方、接続要求メッセージに暗号化情報が付加されておらず、非暗号化状態でのＩＰ電話による通話がされる場合には（ステップＳ５４）、ＩＰ電話ＬＥＤ１３’が通常状態を示す色による点灯あるいは点滅状態に遷移して（ステップＳ５６）、通話が開始される（ステップＳ５７）。
また、相手先との接続が成功しなかった場合で（ステップＳ５３）、ＩＰ電話ＬＥＤ１３’が「暗号化通話接続確立中」を示す色で点灯中あるいは点滅中である場合には（ステップＳ５８）、ＩＰ電話ＬＥＤ１３’が消灯して処理を終了する（ステップＳ５９）。また、ＩＰ電話ＬＥＤ１３’が消灯していた場合にはそのまま処理を終了する（ステップＳ５８）。こうすれば、相手先電話番号が入力されて相手先との接続確立動作を行っている最中であることもユーザが一目で確認できるので、ユーザは現在の動作状況を把握することができ安心感を得ることができる。
【００４０】
次に、第２実施形態の第２変形例について説明する。
図１０に示すように、ユーザがＩＰ電話アダプタ１１’の電源をＯＮすることで、ＩＰ電話アダプタ１１’が起動して初期設定動作が開始される（ステップＳ６０）。正常に起動処理が実行されて暗号化機能が利用可能にスタンバイされた場合には（ステップＳ６１）、ＩＰ電話ＬＥＤ１３’が「暗号化通話可能」を示す色で点灯あるいは点滅し（ステップＳ６２）、初期設定を終了する（ステップＳ６３）。一方、起動処理がうまくいかずに暗号化機能が利用可能にスタンバイされなかった場合には（ステップＳ６１）、そのまま初期設定処理を終了する（ステップＳ６３）。こうすれば、ユーザはＩＰ電話の使用前に通話の暗号化が現在可能であることを一目で把握することができ、安心して以後の通話を開始することができる。
【００４１】
次に、第２実施形態の第３変形例について説明する。
図１１に示すように、受信側のＩＰ電話アダプタ１１’で音声パケットが受信されると（ステップＳ７０）、通信経路中でパケットが改竄されたり伝送路の不具合（中継機器の機能障害や熱変動等）等によりパケットが壊れてないかを確認するため、暗号化処理部７において送信側から送信されたパケットと同一であるかを認証する。暗号化処理部７において前記認証の失敗確率が所定値を超えたと判定された場合、たとえば単位時間あたりの全受信パケット数のうち認証失敗した受信パケット数の割合が所定値を超えた場合等には（ステップＳ７１）、ＩＰ電話ＬＥＤ１３’が「警告」を示す色で点灯する（ステップＳ７２）。こうすれば、通信経路中において音声データのパケットが改竄されている可能性があること等をユーザに知らせることができる。
【図面の簡単な説明】
【００４２】
【図１】本発明の第１実施形態のＩＰ電話アダプタを示すブロック図である。
【図２】ＩＰ電話アダプタの外観を示す斜視図である。
【図３】ＬＥＤの動作を説明するフローチャートである。
【図４】第１実施形態の第１変形例のＬＥＤの動作を説明するフローチャートである。
【図５】第１実施形態の第２変形例のＬＥＤの動作を説明するフローチャートである。
【図６】第１実施形態の第３変形例のＬＥＤの動作を説明するフローチャートである。
【図７】第２実施形態のＩＰ電話アダプタの外観を示す斜視図である。
【図８】第２実施形態のＬＥＤの動作を説明するフローチャートである。
【図９】第２実施形態の第１変形例のＬＥＤの動作を説明するフローチャートである。
【図１０】第２実施形態の第２変形例のＬＥＤの動作を説明するフローチャートである。
【図１１】第２実施形態の第３変形例のＬＥＤの動作を説明するフローチャートである。
【図１２】ＩＰ電話システムの概略図である。
【図１３】電話機Ａから電話機Ｂに発信する場合のシーケンスを示す図面である。
【図１４】従来例のＩＰ電話アダプタを示すブロック図である。
【図１５】別の従来例のＩＰ電話アダプタを示すブロック図である。
【図１６】従来の暗号化情報データベースを示す図面である。
【符号の説明】
【００４３】
２      信号検出部
３      呼制御部
４      音声処理部
５      パケット処理部
６      電話機
７      暗号化処理部
８      暗号化情報データベース
１１、１１’    ＩＰ電話アダプタ（ＩＰ電話装置）
１２    ＬＥＤ制御部
１３    暗号化ＬＥＤ（表示手段）
１３’  ＩＰ電話ＬＥＤ（表示手段）
【図１】
2006325039.tif 000003
【図２】
2006325039.tif 000004
【図３】
2006325039.tif 000005
【図４】
2006325039.tif 000006
【図５】
2006325039.tif 000007
【図６】
2006325039.tif 000008
【図７】
2006325039.tif 000009
【図８】
2006325039.tif 000010
【図９】
2006325039.tif 000011
【図１０】
2006325039.tif 000012
【図１１】
2006325039.tif 000013
【図１２】
2006325039.tif 000014
【図１３】
2006325039.tif 000015
【図１４】
2006325039.tif 000016
【図１５】
2006325039.tif 000017
【図１６】
2006325039.tif 000018